(57)【要約】      （修正有）【課題】組み立て、分解、運搬、保管が容易であり、また、設置対象箇所の規模に応じた適切な範囲の囲い込みができる開口部養生フェンスを提供する。【解決手段】開口部養生フェンス１は、枠内領域に空間を形成するように枠組みされ、両側の側片から掛け止め片を突出させたフェンス枠体２と、前記枠内領域３に配置されフェンス枠体２に紐材１２により仮止めされる枠内領域遮蔽用のシート材１１と、地面上に設置されるとともに上方に向けて起立した支柱２３を有する一対の起立支柱体２１と、起立支柱体２１の支柱２３に取り付け固定されるとともにフェンス枠体２の掛け止め片８が掛け止められてフェンス枠体２を垂直配置に支持する掛け止め受金具３１と、２個のフェンス枠体２の一部同士を重合して接合した時、重合部分同士を挟み込み固定連結してフェンス幅を拡大した連結フェンス枠体とする重ね連結金具とを有する。【選択図】図１
0003188279.tif 000002
【実用新案登録請求の範囲】
【請求項１】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する一対の起立支柱体と、
前記一対の起立支柱体の支柱に取り付け固定されるとともに前記フェンス枠体の掛け止め片が掛け止められて前記フェンス枠体を垂直配置に支持する掛け止め受金具と、
を有することを特徴とする開口部養生フェンス。
【請求項２】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する起立支柱体と、
前記一対の起立支柱体の支柱の外周に嵌装する円筒状の筒体部と、この筒体部の外周に、その中心に関して９０度間隔配置で固着した前記掛け止め片が上方から挿着される３個の受筒部と受けネジ体とを具備し、前記フェンス枠体の掛け止め片が前記受筒部に掛け止め片を挿着されることで前記フェンス枠体を垂直配置に支持する掛け止め受金具と、
を有し、
４個のフェンス枠体と、４個の起立支柱体と、所要数の掛け止め受金具とを用いて、４個の起立支柱体を平面視四角形状を呈するように四隅に配置し、４個のフェンス枠体を４個の起立支柱体に装装した掛け止め受金具における各々対向する各受筒部により各々垂直配置に支持して危険箇所の周り四方を囲み込むように構成し得るようにしたことを特徴とする開口部養生フェンス。
【請求項３】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する一対の起立支柱体と、
前記起立支柱体の支柱に取り付け固定されるとともに前記フェンス枠体の掛け止め片が掛け止められて前記フェンス枠体を垂直配置に支持する掛け止め受金具と、
２個のフェンス枠体の一部同士を重合して接合したとき、重合部分同士を挟み込み固定連結してフェンス幅を拡大した連結フェンス枠体とする重ね連結金具と、
を有することを特徴とする開口部養生フェンス。
【請求項４】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する一対の起立支柱体と、
前記一対の起立支柱体の支柱の外周に嵌装する円筒状の筒体部と、この筒体部の外周に、その中心に関して９０度間隔配置で固着した前記掛け止め片が上方から挿着される３個の受筒部と受けネジ体とを具備し、前記フェンス枠体の掛け止め片が前記受筒部に掛け止め片を挿着されることで前記フェンス枠体を垂直配置に支持する掛け止め受金具と、
２個のフェンス枠体の一部同士を重合して接合したとき、重合部分同士を挟み込み固定連結してフェンス幅を拡大した連結フェンス枠体とする重ね連結金具と、
を有し、
６個のフェンス枠体と、４個の起立支柱体と、所要数の掛け止め受金具と、所要数の重ね連結金具を用いて、
４個の起立支柱体を、両短辺側が前記フェンス枠体のフェンス幅に対応する間隔、両長辺側が前記連結フェンス枠体のフェンス幅に対応する間隔となるようにして、全体として平面視四角形状を呈するように四隅に配置し、
四隅の各起立支柱体に装装した掛け止め受金具における両短辺側で各々対向する各受筒部により１個ずつ合計２個のフェンス枠体を各々垂直配置に支持し、
四隅の各起立支柱体に装装した掛け止め受金具における両長辺側で各々対向する各受筒部により１個ずつ合計２個の連結フェンス枠体を各々垂直配置に支持して、
前記２個の連結フェンス枠体によるフェンス幅の拡大分に応じた広面積の危険箇所の周り四方を囲み込むように構成し得るようにしたことを特徴とする開口部養生フェンス。
【請求項５】
前記フェンス枠体における枠内領域は、中間片により二つに区画され、区画された各枠内領域に各々枠内領域遮蔽用のシート材が仮止めされていることを特徴とする請求項１乃至４のいずれかに記載の開口部養生フェンス。
【請求項６】
前記シート材には、危険注意文字情報、ロゴ又は標語等等からなる情報が付されていることを特徴とする請求項１乃至５のいずれかに記載の開口部養生フェンス。
【考案の詳細な説明】
【技術分野】
【０００１】
本考案は、開口部養生フェンスに関するものであり、詳しくは、組み立て、分解、運搬、保管が容易であり、例えば、掘削された路面の工事現場等の危険箇所である開口部周囲を養生（工事現場等の危険箇所である開口部への落下防止措置）するような形態で簡易に囲み込むことができるようにした開口部養生フェンスに関するものである。
【背景技術】
【０００２】
従来、例えば、市街地等における屋外の工事現場等においては、地盤の掘削工事等に伴い通行人は勿論のこと作業員にとっても危険な掘削穴が出現することから、安全上掘削穴の周辺領域に仮設のフェンスを張り巡らし、作業員や通行人に注意を促し、掘削穴に落ち込むような事態が生じないような対策が頻繁に実施されている。
【０００３】
このような仮設フェンスとしては、組み立て、分解、運搬、保管が容易であること、設置対象箇所である危険箇所の周りに簡略に設置できること、危険箇所の規模に応じて張り巡らす範囲を柔軟に変更できること等が要請される。
【０００４】
特許文献１には、区画領域と区画外領域との境界上に単位フェンス体を並設してなる連続フェンス体と、連続フェンス体の両端部と隣り合う単位フェンス体の並設部とに対応して区画領域内に配置されるベースプレートと、ベースプレートにボルト連結され、区画領域と区画外領域との境界に、単位フェンス体の縦枠の下端と抜き差し可能に差し込み接合する差し込み柱を一対にして立設したフェンス体支持金物と、単位フェンス体のフェンス材の下部に連続して配置されて、フェンス敷設面に接地または近接する巾木とから構成したガードフェンスが提案されている。
【０００５】
しかし、このガードフェンスの場合、フェンス幅が一定の単位フェンス体を並設して連続フェンス体としているので、ガードフェンス全体として危険箇所の規模（面積）の大小に柔軟に対応して適切な範囲にフェンスを張り巡らすことは難しいと推定される。
【先行技術文献】
【特許文献】
【０００６】
【特許文献１】特開２００６−２２６０７７号公報
【考案の概要】
【考案が解決しようとする課題】
【０００７】
本考案が解決しようとする問題点は、組み立て、分解、運搬、保管が容易であり、また、設置対象箇所の規模に応じた適切な範囲での囲い込み、すなわち、例えば、掘削された路面の工事現場等の危険箇所である開口部周囲を養生（工事現場等の危険箇所である開口部への落下防止措置）するような形態で簡易に囲み込みするのに便利な開口部養生フェンスが存在しない点である。
【課題を解決するための手段】
【０００８】
本考案に係る開口部養生フェンスは、筒状材又は棒状材を用いて四角形状を呈し枠内領域に空間を形成するように枠組みされ、両側の側片から掛け止め片を突出させたフェンス枠体と、前記枠内領域に配置されフェンス枠体に紐材等により仮止めされる枠内領域遮蔽用のシート材と、地面上に設置されるとともに上方に向けて起立した支柱を有する一対の起立支柱体と、前記一対の起立支柱体の支柱に取り付け固定されるとともに前記フェンス枠体の掛け止め片が掛け止められて前記フェンス枠体を垂直配置に支持する掛け止め受金具と、を有することを最も主要な特徴とする。
【考案の効果】
【０００９】
請求項１記載の考案によれば、フェンス枠体と、枠内領域遮蔽用のシート材と、起立支柱体と起立支柱体に取り付ける掛け止め受金具とを有する構成の基に、各構成要素の組み立て、分解、運搬、保管が容易で、例えば、掘削された路面の工事現場等の危険箇所である開口部周囲を養生（工事現場等の危険箇所である開口部への落下防止措置）するような形態で簡易に囲み込むことができるようにした開口部養生フェンスを実現し提供することができる。
【００１０】
請求項２記載の考案によれば、請求項１記載の考案と同様な効果を奏するとともに、４個のフェンス枠体と、４個の起立支柱体と、所要数の掛け止め受金具とを用いることで、例えば、掘削された路面の工事現場等の危険箇所である開口部周囲を養生（工事現場等の危険箇所である開口部への落下防止措置）するような形態で簡易に囲み込むことができ、危険箇所の近くを通行する通行人や作業員の安全確保に寄与する開口部養生フェンスを実現し提供することができる。
【００１１】
請求項３記載の考案によれば、フェンス枠体と、枠内領域遮蔽用のシート材と、起立支柱体と起立支柱体に取り付ける掛け止め受金具と、２個のフェンス枠体の一部同士を重合してフェンス幅を拡大した連結フェンス枠体を構成可能な重ね連結金具とを有する構成の基に、各構成要素の組み立て、分解、運搬、保管が容易であり、フェンス幅を拡大した連結フェンス枠体の組み立ても容易で、また、例えば、掘削された路面の工事現場等の危険箇所である開口部周囲を養生（工事現場等の危険箇所である開口部への落下防止措置）するような形態で簡易に囲み込むことができるようにした開口部養生フェンスを実現し提供することができる。
【００１２】
請求項４記載の考案によれば、請求項３記載の考案と同様な効果を奏するとともに、６個のフェンス枠体（フェンス枠体を２個、２個のフェンス枠体を重合連結した連結フェンス枠体を２個）と、４個の起立支柱体２１と、所要数の掛け止め受金具と、所要数の重ね連結金具とを用いるこことで、例えば、掘削された路面の工事現場等の一層規模の大きい危険箇所である開口部周囲を養生（工事現場等の危険箇所である開口部への落下防止措置）するような形態で簡易に囲み込むことができ、危険箇所の近くを通行する通行人や作業員の安全確保に寄与する開口部養生フェンスを実現し提供することができる。
【００１３】
請求項５記載の考案によれば、フェンス枠体における枠内領域を、中間片により二つに区画し、区画した各枠内領域に各々枠内領域遮蔽用のシート材を仮止めしているので、工事現場等の危険箇所、すなわち、開口部の周り四方を囲み込む使用態様としたとき、危険箇所側を外部から遮蔽することができる開口部養生フェンスを実現し提供することができる。
【００１４】
請求項６記載の考案によれば、シート材には、危険注意文字情報、ロゴ又は標語等等からなる情報が付されているので、作業員や通行人に危険である旨を伝達したり、ロゴ又は標語等による多くの情報を作業員や通行人に知らせたりすることが可能な開口部養生フェンスを実現し提供することができる。
【図面の簡単な説明】
【００１５】
【図１】図１は本考案の実施例に係る開口部養生フェンスの組み立て状態の一例を示す概略正面図である。
【図２】図２は本実施例に係る開口部養生フェンスを構成するフェンス枠体の概略正面図である。
【図３】図３は本実施例に係る開口部養生フェンスを構成するフェンス枠体の概略側面図である。
【図４】図４は本実施例に係る開口部養生フェンスを構成するシート材の概略正面図である。
【図５】図５は本実施例に係る開口部養生フェンスを構成するシート材のフェンス枠体への取り付け状態を示す概略部分拡大図である。
【図６】図６は本実施例に係る開口部養生フェンスを構成するフェンス枠体を支持する起立支柱体の概略正面図である。
【図７】図７は本実施例に係る開口部養生フェンスを構成する掛け止め受金具の概略平面図である。
【図８】図８は本実施例に係る開口部養生フェンスを構成する重ね連結金具の正面図である。
【図９】図９は本実施例に係る開口部養生フェンスを構成する重ね連結金具の側面図である。
【図１０】図１０は本実施例に係る開口部養生フェンスにおいて２個のフェンス枠体の一部同士を接合し重ね連結金具により連結した状態を示す概略斜視図である。
【図１１】図１１は本実施例に係る開口部養生フェンスにおいてフェンス枠体を４連結構成として危険箇所を囲み込んだ状態を示す概略平面図である。
【図１２】図１２は本実施例に係る開口部養生フェンスにおいてフェンス枠体と連結フェンス枠体とを４連結構成として広面積の危険箇所を囲み込んだ状態を示す概略平面図である。
【考案を実施するための形態】
【００１６】
本考案は、組み立て、分解、運搬、保管が容易であり、また、設置対象箇所の規模に応じた適切な範囲での囲い込み、すなわち、例えば、掘削された路面の工事現場等の危険箇所である開口部周囲を養生（工事現場等の危険箇所である開口部への落下防止措置）するような形態で簡易に囲み込みできるようにした開口部養生フェンスを提供するという目的を、筒状材又は棒状材を用いて四角形状を呈し枠内領域に空間を形成するように枠組みされ、両側の側片から掛け止め片を突出させたフェンス枠体と、前記枠内領域に配置されフェンス枠体に紐材等により仮止めされる枠内領域遮蔽用のシート材と、地面上に設置されるとともに上方に向けて起立した支柱を有する一対の起立支柱体と、前記起立支柱体の支柱に取り付け固定されるとともに前記フェンス枠体の掛け止め片が掛け止められて前記フェンス枠体を垂直配置に支持する掛け止め受金具と、２個のフェンス枠体の一部同士を重合して接合したとき、重合部分同士を挟み込み固定連結してフェンス幅を拡大した連結フェンス枠体とする重ね連結金具と、を有する構成により実現した。
【実施例】
【００１７】
以下、本考案の実施例に係る開口部養生フェンス１について、添付の図１乃至図１２を参照して詳細に説明する。
【００１８】
本実施例に係る開口部養生フェンス１は、図１に示すように、断面四角形状の筒状材又は棒状材を用いて四角形状を呈し枠内領域３に空間を形成するように枠組みされたフェンス枠体２と、前記枠内領域３に配置されフェンス枠体２に紐材１２等により仮止めされる枠内領域遮蔽用のシート材１１と、地面上に設置される底板２２と、この底板により下部が支持されるともに上方に向けて起立した例えば円柱状の支柱２３を有する一対の起立支柱体２１と、前記起立支柱体２１の支柱２３に取り付け固定されるとともに前記フェンス枠体２の掛け止め片８が掛け止められて前記フェンス枠体２を垂直配置に支持する掛け止め受金具３１と、２個のフェンス枠体２の一部同士を重合して接合したとき、重合部分同士を挟み込み固定連結してフェンス幅を拡大した連結フェンス枠体２Ａとする重ね連結金具４１と、を有している。
【００１９】
前記起立支柱体２１としては、新たに作製したものを用いる他、既製品を用いることも可能である。
【００２０】
前記フェンス枠体２は、図２、図３に示すように、上片４、下片５及び図１において左右一対の側片６、６の各端部を溶接等により連結して全体として四角枠形状に枠組みしている。
【００２１】
前記両側片６、６の内側中央位置に中間片７の両端部を各々溶接等により連結して、中間片７で画される上下配置の二つの四角形状の空間からなる枠内領域３、３を形成している。
【００２２】
また、前記各側片６、６の外壁部から下向きＬ状に屈曲させた掛け止め片８を片側２個、合計４個となるように上下配置に、かつ、間隔を隔て突設している。
【００２３】
更に、前記フェンス枠体２は、上片４の下面、下片５の上面、中間片７の上面及び下面に、同一形状に形成したシート材用孔付き受け具９を合計で１６個間隔を隔て固着している。
すなわち、前記上片４の下面には、下面両隅部に１個ずつ、中央部の左側、右側に１個ずつ、合計４個のシート材用孔付き受け具９を固着している。
【００２４】
前記下片５の上面には、上面両隅部に１個ずつ、中央部の左側、右側に１個ずつ、合計４個のシート材用孔付き受け具９を固着している。
【００２５】
前記中間片７の上面には、上面両隅部に１個ずつ、中央部の左側、右側に１個ずつ、合計４個のシート材用孔付き受け具９を固着している。
前記中間片７の下面には、下面両隅部に１個ずつ、中央部の左側、右側に１個ずつ、合計４個のシート材用孔付き受け具９を前記上面側の各シート材用孔付き受け具９と対応配置に固着している。
【００２６】
前記シート材１１は、図４に示すように、例えば合成樹脂材からなり、前記枠内領域３の開口面積より小寸法の四角形状に形成されるとともに、前記フェンス枠体２の各シート材用孔付き受け具９の配置に対応して、各辺部の内側に例えば合成樹脂材からなる紐材１２を挿通可能な合計８個の円環状リング１３を配置している。
【００２７】
また、前記シート材１１の一面には、危険注意文字情報、工事会社を示すロゴ又は「住みよい街づくり」のような標語等を表示した情報表示部１４を設けている。
【００２８】
そして、このようなシート材１１を例えば２枚用意し、図５に示すように、前記枠内領域３、３に各々配置するとともに、前記フェンス枠体２の各シート材用孔付き受け具９と、シート材１１の円環状リング１３との対応配置となるもの同士に例えば合成樹脂材からなる紐材１２を挿通し、紐材１２の端部同士を結び付けることで、２枚のシート材１１によって前記枠内領域３、３の略全体を各々遮蔽するように構成している。
【００２９】
前記起立支柱体２１及び前記掛け止め受金具３１について、図６、図７を参照して説明する。
【００３０】
前記掛け止め受金具３１は、図７に示すように、例えば金属材からなり、前記起立支柱体２１の支柱２３の外周より僅かに大径の内径寸法を有する円筒状の筒体部３２と、この筒体部３２の外周に、その中心に関して９０度間隔配置で固着した前記掛け止め片８が上方から挿着される３個の円筒状の受筒部３３及び内周部に雌ネジを有する受けネジ体３４と、受けネジ体３４の雌ネジに螺合させる締め付けボルト３５と、を有している。
【００３１】
前記筒体部３２における前記受けネジ体３４の固着箇所の肉厚部には、前記締め付けボルト３５の先端側が貫通可能な抜孔３２ａが穿設されている。
【００３２】
そして、図６に示すように、前記掛け止め受金具３１を支柱２３の外周に嵌装し、前記締め付けボルト３５を受けネジ体３４の雌ネジに螺合させてねじ込むことによって、前記締め付けボルト３５の先端側が前記支柱２３の外周面に当接し、これにより、前記掛け止め受金具３１を前記支柱２３の外周の所望位置に強固に固定することができるように構成している。
【００３３】
次に、図８、図９及び図１０を参照して、前記重ね連結金具４１及び連結フェンス枠体２Ａについて説明する。
【００３４】
前記重ね連結金具４１は、図８、図９に示すように、例えば金属材からなるＣ型チャンネル状のクランプ形態としたものである。
【００３５】
前記重ね連結金具４１は、表片４３、上辺４４、裏片４５の一体構成で側面形状が略コ字状を呈し、表片４３の外面側で上辺４４に近い位置に、内周部に雌ネジを有する受けネジ体４６を固着した重ね連結金具本体４２と、受けネジ体４６の雌ネジに螺合させる例えば手動ねじ込み型の締め付けボルト４７と、を有している。
【００３６】
前記裏片４５の下端には表片４３側に向けて小寸法の突片４５ａを設けている。
【００３７】
前記表片４３における前記受けネジ体４６の固着箇所の肉厚部には、前記締め付けボルト４７の先端側が貫通可能な抜孔４３ａが穿設されている。
【００３８】
前記表片４３、裏片４５の対向する両内面間の寸法は、２個のフェンス枠体２の各上片４同士を図１０に示すように重合して接合したとき、これらの重合部分の厚さ寸法よりも僅かに大きくなる寸法に設定している。
【００３９】
また、前記上辺４４の下面と、前記突片４５ａの上辺４４に対向する面との寸法は、前記フェンス枠体２の上片４の高さ方向の寸法よりも僅かに大きくなる寸法に設定している。
【００４０】
このような重ね連結金具４１の構成により、図９に示すように、２個のフェンス枠体２、２の各上片４同士を重合して接合したとき、重ね連結金具４１により２個のフェンス枠体２、２の各上片４を覆うようにして、かつ、前記突片４５ａを一方の上片４の下面隅部外側に係合させた状態の基に２個のフェンス枠体２を挟み込むことができるように構成している。
【００４１】
そして、図１０に示すように、２個のフェンス枠体２、２の上片４、４の一部同士を重合して接合し、これらの重合部分を重ね連結金具４１により挟み込み、更に、前記締め付けボルト４７を手動操作にて受けネジ体４６の雌ネジに螺合させてねじ込むことによって、前記締め付けボルト４７の先端側が前記上片４の外面に当接し、これにより、２個のフェンス枠体２、２の上片４、４の一部同士を挟み込み強固に固定連結することができる。
【００４２】
この場合、２個のフェンス枠体２、２の上片４、４の一部重合部分を、複数個（例えば２個）の重ね連結金具４１により連結してもよい。
【００４３】
前記２個のフェンス枠体２、２における下片５、５の一部を重ね合わせた部分、中間片７、７の一部を重ね合わせた部分に関しても、上述した場合と同様にして前記重ね連結金具４１により挟み込み強固に固定連結することができる。
【００４４】
以上により、所要数の重ね連結金具４１を用いて２個のフェンス枠体２の重合部分同士を挟み込み固定連結してフェンス幅をフェンス枠体２自体のフェンス幅より拡大した図１２に示すような連結フェンス枠体２Ａとすることができる。
【００４５】
次に、本実施例に係る開口部養生フェンス１の具体的使用態様について図１１及び図１２を参照して説明する。
【００４６】
図１１は、４個のフェンス枠体２と、４個の起立支柱体２１と、所要数の掛け止め受金具３１とを用いて、４個の起立支柱体２１を地面上で平面視四角形状を呈するように四隅に配置し、４個のフェンス枠体２の各掛け止め片８を、各起立支柱体２１に装装した掛け止め受金具３１における各々対向する各受筒部３３に各々挿通して、これら４個のフェンス枠体２を各々垂直配置で、かつ、平面視長方形状を呈する４連結状態とし、工事現場等の危険箇所（開口部）Ｒの周り四方を囲み込むようにしたものである。
【００４７】
図１２は、合計６個のフェンス枠体２（フェンス枠体２を２個、２個のフェンス枠体２を重合連結した連結フェンス枠体２Ａを２個）と、４個の起立支柱体２１と、所要数の掛け止め受金具３１と、所要数の重ね連結金具４１を用いて、工事現場等における前記危険箇所Ｒよりも広面積の危険箇所Ｒ１の周り四方を囲み込むようにしたものである。
【００４８】
すなわち、上下配置に２個の掛け止め受金具３１を嵌装した合計４個の起立支柱体２１を、両短辺側が前記フェンス枠体２のフェンス幅に対応する間隔、両長辺側が前記フェンス枠体２を重ね連結して構成した連結フェンス枠体２Ａのフェンス幅に対応する間隔となるようにして、全体として平面視四角形状を呈するように四隅に配置する。
【００４９】
そして、四隅の各起立支柱体２１に装装した各掛け止め受金具３１における両短辺側で各々対向する各受筒部３３に、前記重ね連結金具４１を用いてフェンス幅を拡大した２個のフェンス枠体２の各掛け止め片８を各々挿通して、両短辺の一方と他方とに各々１個ずつ合計２個のフェンス枠体２を各々垂直配置に、かつ、平行配置に支持する。
【００５０】
また、四隅の各起立支柱体２１に装装した掛け止め受金具３１における両長辺側で各々対向する各受筒部３３に、２個の連結フェンス枠体２Ａの各掛け止め片８を各々挿通して、両長辺の一方と他方とに各々１個ずつ合計２個の連結フェンス枠体２Ａを各々垂直配置に、かつ、平行配置に支持する。
【００５１】
これにより、２個のフェンス枠体２と２個の連結フェンス枠体２Ａとを平面視長方形状を呈する４連結状態とし、前記危険箇所Ｒ１の周り四方を囲み込むようにしたものである。
【００５２】
以上説明した本実施例によれば、枠内領域３に空間を形成するように枠組みされたフェンス枠体２と、前記枠内領域３に配置されフェンス枠体２に紐材１２等により仮止めされる枠内領域遮蔽用のシート材１１と、地面上に設置される底板２２と、この底板により下部が支持されるともに上方に向けて起立した例えば円柱状の支柱２３を有する起立支柱体２１と、起立支柱体２１の支柱２３に取り付け固定されるとともに前記フェンス枠体２の掛け止め片８が掛け止められて前記フェンス枠体２を垂直配置に支持する掛け止め受金具３１とを有する構成したことにより、前記各構成要素の組み立て、分解、運搬、保管が簡略容易で、例えば、掘削された路面の工事現場等の危険箇所である開口部周囲を養生（工事現場等の危険箇所である開口部への落下防止措置）するような形態で簡易に囲み込むことができる開口部養生フェンス１を実現し提供することができる。
【００５３】
また、フェンス枠体２に紐材１２により仮止めされる枠内領域遮蔽用のシート材１１を上下２段配置に備え、この各シート材１１に危険注意文字情報、ロゴ又は標語等を表示した構成とすることで、開口部養生フェンス１の内側を外部から遮蔽することが可能であるとともに、作業員や通行人に危険である旨を伝達したり、ロゴ又は標語等による多くの情報を作業員や通行人に知らせたりすることが可能となる。
【００５４】
更に、４個のフェンス枠体２と、４個の起立支柱体２１と、所要数の掛け止め受金具３１とを用いて、フェンス枠体２を平面視長方形状を呈する４連結状態とし、工事現場等の危険箇所Ｒの周り四方を囲み込む使用態様とすることも容易であり、危険箇所Ｒの近くを通行する通行人や作業員の安全確保にも寄与することができる。
【００５５】
更にまた、合計６個のフェンス枠体２（フェンス枠体２を２個、２個のフェンス枠体２を重合連結した連結フェンス枠体２Ａを２個）と、４個の起立支柱体２１と、所要数の掛け止め受金具３１と、所要数の重ね連結金具４１を用いて、２個のフェンス枠体２と２個の連結フェンス枠体２Ａとを平面視長方形状を呈する４連結状態とし、一層広面積の危険箇所Ｒ１の周り四方を囲み込む使用態様とすることも容易であり、これにより、危険箇所Ｒ又は危険箇所Ｒ１のような規模が異なる設置対象領域に対しても柔軟に対応しつつ作業員や通行人の安全確保に寄与することが可能となる。
【００５６】
なお、図１２においては、２個のフェンス枠体２と、２個の連結フェンス枠体２Ａとにより画される平面形状は図面表示上、変形した長方形状で表しているが、例えば連結フェンス枠体２Ａのフェンス幅を１５００ｍｍ等の長尺に設定すれば、これら２個の連結フェンス枠体２Ａとにより画される平面形状は、平面視長方形状になるものである。
【００５７】
本実施例に係る開口部養生のためのフェンス１、すなわち、工事現場等の危険箇所である開口部への落下防止措置としてのフェンス１は、上述した場合の他、所要数のフェンス枠体２と、所要数の起立支柱体２１と、所要数の掛け止め受金具３１とを用いて、フェンス枠体２を直列的に連結したストレート配置の開口部養生フェンスとして構成でき、これにより、例えば公園や運動場等の広面積な領域を直線的に仕切る仕切りフェンスを実現することも可能である。
【産業上の利用可能性】
【００５８】
本考案に係る開口部養生フェンスは、道路等の舗装工事、マンホール工事  配管埋設工事等に伴う危険箇所の囲み込み用として、更には、広面積の領域の直線的な仕切りフェンスとして好適に利用可能である。
【符号の説明】
【００５９】
１    開口部養生フェンス
２    フェンス枠体
２Ａ  連結フェンス枠体
３    枠内領域
４    上片
５    下片
６    側片
７    中間片
８    掛け止め片
９    シート材用孔付き受け具
１１    シート材
１２    紐材
１３    円環状リング
１４    情報表示部
２１    起立支柱体
２２    底板
２３    支柱
３１    掛け止め受金具
３２    筒体部
３２ａ  抜孔
３３    受筒部
３４    受けネジ体
３５    締め付けボルト
４１    連結金具
４２    連結金具本体
４３    表片
４３ａ  抜孔
４４    上辺
４５    裏片
４５ａ  突片
４６    受けネジ体
４７    締め付けボルト
Ｒ    危険箇所
Ｒ１  危険箇所
【図１】
0003188279.tif 000003
【図２】
0003188279.tif 000004
【図３】
0003188279.tif 000005
【図４】
0003188279.tif 000006
【図５】
0003188279.tif 000007
【図６】
0003188279.tif 000008
【図７】
0003188279.tif 000009
【図８】
0003188279.tif 000010
【図９】
0003188279.tif 000011
【図１０】
0003188279.tif 000012
【図１１】
0003188279.tif 000013
【図１２】
0003188279.tif 000014
【手続補正書】
【提出日】平成25年11月7日(2013.11.7)
【手続補正１】
【補正対象書類名】明細書
【補正対象項目名】００１４
【補正方法】変更
【補正の内容】
【００１４】
請求項６記載の考案によれば、シート材には、危険注意文字情報、ロゴ又は標語からなる情報が付されているので、作業員や通行人に危険である旨を伝達したり、ロゴ又は標語等による多くの情報を作業員や通行人に知らせたりすることが可能な開口部養生フェンスを実現し提供することができる。
【手続補正２】
【補正対象書類名】明細書
【補正対象項目名】００４６
【補正方法】変更
【補正の内容】
【００４６】
図１１は、４個のフェンス枠体２と、４個の起立支柱体２１と、所要数の掛け止め受金具３１とを用いて、４個の起立支柱体２１を地面上で平面視四角形状を呈するように四隅に配置し、４個のフェンス枠体２の各掛け止め片８を、各起立支柱体２１に嵌装した掛け止め受金具３１における各々対向する各受筒部３３に各々挿通して、これら４個のフェンス枠体２を各々垂直配置で、かつ、平面視長方形状を呈する４連結状態とし、工事現場等の危険箇所（開口部）Ｒの周り四方を囲み込むようにしたものである。
【手続補正３】
【補正対象書類名】明細書
【補正対象項目名】００４９
【補正方法】変更
【補正の内容】
【００４９】
そして、四隅の各起立支柱体２１に嵌装した各掛け止め受金具３１における両短辺側で各々対向する各受筒部３３に、前記重ね連結金具４１を用いてフェンス幅を拡大した２個のフェンス枠体２の各掛け止め片８を各々挿通して、両短辺の一方と他方とに各々１個ずつ合計２個のフェンス枠体２を各々垂直配置に、かつ、平行配置に支持する。
【手続補正４】
【補正対象書類名】明細書
【補正対象項目名】００５０
【補正方法】変更
【補正の内容】
【００５０】
また、四隅の各起立支柱体２１に嵌装した掛け止め受金具３１における両長辺側で各々対向する各受筒部３３に、２個の連結フェンス枠体２Ａの各掛け止め片８を各々挿通して、両長辺の一方と他方とに各々１個ずつ合計２個の連結フェンス枠体２Ａを各々垂直配置に、かつ、平行配置に支持する。
【手続補正５】
【補正対象書類名】実用新案登録請求の範囲
【補正対象項目名】請求項２
【補正方法】変更
【補正の内容】
【請求項２】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する一対の起立支柱体と、
前記一対の起立支柱体の支柱の外周に嵌装する円筒状の筒体部と、この筒体部の外周に、その中心に関して９０度間隔配置で固着した前記掛け止め片が上方から挿着される３個の受筒部と受けネジ体とを具備し、前記フェンス枠体の掛け止め片が前記受筒部に掛け止め片を挿着されることで前記フェンス枠体を垂直配置に支持する掛け止め受金具と、
を有し、
４個のフェンス枠体と、４個の起立支柱体と、所要数の掛け止め受金具とを用いて、４個の起立支柱体を平面視四角形状を呈するように四隅に配置し、４個のフェンス枠体を４個の起立支柱体に嵌装した掛け止め受金具における各々対向する各受筒部により各々垂直配置に支持して危険箇所の周り四方を囲み込むように構成し得るようにしたことを特徴とする開口部養生フェンス。
【手続補正６】
【補正対象書類名】実用新案登録請求の範囲
【補正対象項目名】請求項３
【補正方法】変更
【補正の内容】
【請求項３】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する一対の起立支柱体と、
前記一対の起立支柱体の支柱に取り付け固定されるとともに前記フェンス枠体の掛け止め片が掛け止められて前記フェンス枠体を垂直配置に支持する掛け止め受金具と、
２個のフェンス枠体の一部同士を重合して接合したとき、重合部分同士を挟み込み固定連結してフェンス幅を拡大した連結フェンス枠体とする重ね連結金具と、
を有することを特徴とする開口部養生フェンス。
【手続補正７】
【補正対象書類名】実用新案登録請求の範囲
【補正対象項目名】請求項４
【補正方法】変更
【補正の内容】
【請求項４】
筒状材又は棒状材を用いて四角形状を呈し枠内領域に空間を形成するように枠組みされ、両側の側片から掛け止め片を突出させたフェンス枠体と、
前記枠内領域に配置されフェンス枠体に紐材等により仮止めされる枠内領域遮蔽用のシート材と、
地面上に設置されるとともに上方に向けて起立した支柱を有する一対の起立支柱体と、
前記一対の起立支柱体の支柱の外周に嵌装する円筒状の筒体部と、この筒体部の外周に、その中心に関して９０度間隔配置で固着した前記掛け止め片が上方から挿着される３個の受筒部と受けネジ体とを具備し、前記フェンス枠体の掛け止め片が前記受筒部に掛け止め片を挿着されることで前記フェンス枠体を垂直配置に支持する掛け止め受金具と、
２個のフェンス枠体の一部同士を重合して接合したとき、重合部分同士を挟み込み固定連結してフェンス幅を拡大した連結フェンス枠体とする重ね連結金具と、
を有し、
６個のフェンス枠体と、４個の起立支柱体と、所要数の掛け止め受金具と、所要数の重ね連結金具を用いて、
４個の起立支柱体を、両短辺側が前記フェンス枠体のフェンス幅に対応する間隔、両長辺側が前記連結フェンス枠体のフェンス幅に対応する間隔となるようにして、全体として平面視四角形状を呈するように四隅に配置し、
四隅の各起立支柱体に嵌装した掛け止め受金具における両短辺側で各々対向する各受筒部により１個ずつ合計２個のフェンス枠体を各々垂直配置に支持し、
四隅の各起立支柱体に嵌装した掛け止め受金具における両長辺側で各々対向する各受筒部により１個ずつ合計２個の連結フェンス枠体を各々垂直配置に支持して、
前記２個の連結フェンス枠体によるフェンス幅の拡大分に応じた広面積の危険箇所の周り四方を囲み込むように構成し得るようにしたことを特徴とする開口部養生フェンス。
【手続補正８】
【補正対象書類名】実用新案登録請求の範囲
【補正対象項目名】請求項６
【補正方法】変更
【補正の内容】
【請求項６】
前記シート材には、危険注意文字情報、ロゴ又は標語からなる情報が付されていることを特徴とする請求項１乃至５のいずれかに記載の開口部養生フェンス。